(57)【要約】【課題】光源を導光板の一側面に容易に固定することができ、固定強度が周囲環境に左右されないバックライトユニットの光源固定構造を提供する。【解決手段】基板６１に搭載された発光素子を含む光源部が設けられた線状光源装置６を、照明光として主発光面から出射する導光板５の入射面である一側面に配置したバックライトユニットの光源固定構造であって、導光板５を収納して保持する金属ケース２およびケース枠４には、光源部が搭載された搭載面Ｆを、導光板５の一側面に向けた状態で基板６１が載置される床部である平面部２１と、平面部２１に対向して設けられ、平面部２１との間にできた開口に基板６１の一端部を挿入することで、基板６１の一端部の移動を平面部２１と共に規制する舌片部と、基板６１の他端部の搭載面Ｆおよびこの搭載面Ｆの反対側の面を当接して挟持することで基板６１の他端部の移動を規制する第１凸部および第２凸部とを備えた。【選択図】図３
2009218186.tif 000002
【特許請求の範囲】
【請求項１】
基板に搭載された発光素子を含む光源部が１以上設けられた発光装置を、照明光として主発光面から出射する導光板の入射面である一側面に配置したバックライトユニットの光源固定構造であって、
前記導光板を収納して保持する保持部には、
前記光源部が搭載された搭載面を、前記導光板の一側面に向けた状態で前記基板が載置される床部と、
前記床部に対向して設けられ、前記床部との間にできた開口に前記基板の一端部を挿入することで、前記基板の一端部の移動を床部と共に規制する第１規制部と、
前記基板の他端部の搭載面およびこの搭載面の反対側の面を当接して挟持することで前記基板の他端部の移動を規制する第２規制部と
が設けられていることを特徴とするバックライトユニットの光源固定構造。
【請求項２】
前記保持部は、
前記発光装置と共に前記導光板を収納するために、前記発光装置および前記導光板が載置される平板部、および前記平板部の周縁から立設された周壁部が形成されたケース台と、
前記平板部に載置された導光板と周壁部との間に配置され、前記導光板の側面を保持する枠部、および前記発光装置を収納するための前記枠部の一部が切り欠かれた切欠部が形成されたケース枠とを備え、
前記床部は、前記発光装置が前記切欠部に配置された平板部の一部であり、
前記第１規制部は、前記基板の一端部が前記床部との間に収納可能に、前記枠部から前記切欠部へ突出した舌片部であり、
前記第２規制部は、前記基板の他端部の両面を押圧する位置であって、前記枠部と前記ケース枠との両方に対向させて突出させた凸部である請求項１記載のバックライトユニットの光源固定構造。
【発明の詳細な説明】
【技術分野】
【０００１】
本発明は、光源を、照明光として主発光面から出射する導光板の入射面である一側面に配置したバックライトユニットの光源固定構造に関する。
【背景技術】
【０００２】
バックライトユニットは、導光板の側面周囲を囲うケース枠に、基板に搭載した点光源である発光素子を、導光板の一側面を照射するように配置して、導光板の一側面から照射光を入射させ、導光板の主照射面から出射させることで、ＬＣＤなどの表示パネルを明るく照らす面発光装置として機能している。
【０００３】
このようなバックライトユニットが特許文献１に記載されている。特許文献１には、バックライトユニットとして、発光装置である白色発光ユニットと、導光板と、光学シートと、ケース枠である額縁状のモールドフレームとを備えたバックライトアセンブリーが記載されている。白色発光ユニットは、印刷回路基板と、この基板に搭載される複数の発光ダイオードと、導光板の収納溝に収納されるレンズとを備え、モールドフレームの上部の一側に配置されている。レンズの上下面に反射バンドが配置されていることにより、レンズから発散される光をレンズ内に反射する。印刷回路基板は、印刷回路基板の上部に設けられ所定の接着力を有する物質を含むスチフナーによりモールドフレームに固定されている。
【特許文献１】特開２００６−１０８６０６号公報
【発明の開示】
【発明が解決しようとする課題】
【０００４】
特許文献１のバックライトアセンブリーは、白色発光ユニットが、スチフナーに含まれる接着力を有する物質によりモールドフレームに固定されていると記載されているが、具体的な図面がないため、どのような状態で固定されているかは判然としない。おそらく、印刷回路基板の上部に設けられたスチフナーに、接着剤を塗布したり両面テープなどを貼り付けたりして、白色発光ユニットがモールドフレームに固定されているものと思われる。
【０００５】
しかし、接着剤や両面テープなどにより白色発光ユニットをモールドフレームに固定すると、接着剤を塗布する工程や、両面テープを貼り付ける工程が必要なため、作製工程が煩雑である。また、接着剤や両面テープを固定に使用する場合には、周囲の環境によっては接着強度（固定強度）にばらつきが発生するため、劣悪な条件下では振動や衝撃などにより発光装置の取り付け位置がずれてしまうおそれがある。
【０００６】
そこで本発明は、光源を導光板の一側面に容易に固定することができ、固定強度が周囲環境に左右されないバックライトユニットの光源固定構造を提供することを目的とする。
【課題を解決するための手段】
【０００７】
本発明のバックライトユニットの光源固定構造は、導光板を収納して保持する保持部に、発光装置の光源部を搭載した基板の一端部の移動を規制する第１規制部と、前記基板の他端部の移動を規制する第２規制部とが形成されている。
【発明の効果】
【０００８】
本発明は、基板の両端部の移動が規制されることで、接着剤や両面テープなど使用することなく、発光装置を導光板の一側面に固定することができる。よって、本発明は、光源を導光板の一側面に容易に固定することができ、固定強度が周囲環境に左右されないバックライトユニットの光源固定構造を提供することができる。
【発明を実施するための最良の形態】
【０００９】
本願の第１の発明は、基板に搭載された発光素子を含む光源部が１以上設けられた発光装置を、照明光として主発光面から出射する導光板の入射面である一側面に配置したバックライトユニットの光源固定構造であって、導光板を収納して保持する保持部には、光源部が搭載された搭載面を、導光板の一側面に向けた状態で基板が載置される床部と、床部に対向して設けられ、床部との間にできた開口に基板の一端部を挿入することで、基板の一端部の移動を床部と共に規制する第１規制部と、基板の他端部の搭載面およびこの搭載面の反対側の面を当接して挟持することで基板の他端部の移動を規制する第２規制部とが設けられていることを特徴としたものである。
【００１０】
光源である発光装置を導光板の一側面に配置するときには、発光装置の基板の一端部を床部に対向して設けられた第１規制部と床部との間にできた開口に差し込み、そして、基板の他端部を、第２規制部に差し込む。第２規制部は、基板の他端部の搭載面およびこの搭載面の反対側の面を当接して挟持し、基板の他端部の移動を規制している。従って、基板の両端部の移動が規制されることで、接着剤や両面テープなど使用することなく、発光装置を導光板の一側面に固定することができる。
【００１１】
本願の第２の発明は、第１の発明において、保持部は、発光装置と共に導光板を収納するために、発光装置および導光板が載置される平板部、および平板部の周縁から立設された周壁部が形成されたケース台と、平板部に載置された導光板と周壁部との間に配置され、導光板の側面を保持する枠部、および発光装置を収納するための枠部の一部が切り欠かれた切欠部が形成されたケース枠とを備え、床部は、発光装置が切欠部に配置された平板部の一部であり、第１規制部は、基板の一端部が床部との間に収納可能に枠部から切欠部へ突出した舌片部であり、第２規制部は、基板の他端部の両面を押圧する位置であって、枠部とケース枠との両方に対向させて突出させた凸部であることを特徴としたものである。
【００１２】
このように、保持部の第１規制部と第２規制部とは、ケース台とケース枠とで形成することができる。
【００１３】
（実施の形態）
本発明の実施の形態に係るバックライトユニットの光源固定構造を、図面に基づいて説明する。図１は、本発明の実施の形態１に係るバックライトユニットの分解斜視図である。図２は、図１に示すバックライトユニットに用いられる線状光源装置を説明するための図である。
【００１４】
図１に示すように、バックライトユニット１は、金属ケース２と、反射フィルム３と、ケース枠４と、導光板５と、線状光源装置６と、反射シート７と、調光フィルム８と、遮光シート９とを備えている。
【００１５】
金属ケース２は、矩形状の平板である平板部２１と、平板部２１の周縁から立設された周壁部２２とにより形成されたケース台である。本実施の形態ではケース台を金属製である金属ケース２としているが、樹脂製とすることも可能である。
【００１６】
反射フィルム３は、金属ケース２内に収納される矩形状のフィルムである。導光板５の底面からの光を、導光板５側へ反射させる機能を有している。反射フィルム３としては、ポリエステル系樹脂を用いた多層膜構造により可視光範囲において高い反射率を有するＥＳＲ（Enhanced Specular Reflector）などが使用できるが、金属光沢などにより導光板５からの光を反射可能なものであれば、他の材質のものでもよい。
【００１７】
ケース枠４は、平板部２１に載置された導光板５と周壁部２２との間に配置され、導光板５の側面を保持する略コ字状の枠部４１と、線状光源装置６を収納するための枠部４１の一部が切り欠かれた切欠部４２とが形成されたものである。従って、切欠部４２によって確保された線状光源装置６を載置するためのスペースが、平板部２１の一部である床部となる。このケース枠４と金属ケース２とで、導光板５と線状光源装置６とを保持する保持部が構成されている。このケース枠４と上述した金属ケース２により線状光源装置６が導光板５の一側面に固定されているが、この点について後述する。
【００１８】
導光板５は、略矩形状に形成され、線状光源装置６からの光が側面から入射され、照明光として主発光面から出射するもので、例えば、アクリル樹脂やポリカーボネート樹脂によって０．３〜０．６ｍｍ程度の厚みに形成された、透明または半透明の板状体である。
【００１９】
線状光源装置６は、図２に示すように、基板６１と、発光素子６２と、反射部６３と、樹脂封止部６４と、プリント配線基板６５を備えた発光装置である。
【００２０】
基板６１は、角棒状の絶縁基板に配線パターンが形成されたプリント配線基板である。絶縁基板としては、ガラスエポキシ系樹脂や、ＢＴレジン（ビスマレイミドトリアジン樹脂系の熱硬化樹脂）などで形成することができる。
【００２１】
発光素子６２は、半導体で形成された導電性の基板や、サファイアなどで形成された絶縁性の基板に、発光層を含む半導体層を積層することで形成されたもので、基板６１の搭載面Ｆに搭載されている。
【００２２】
反射部６３は、発光素子６２の両側に位置した２つの部材により形成されている。この反射部６３における発光素子６２に向いたそれぞれの面は、発光素子６２からの光を導光板５（図１参照）の方向へ反射するために、基板６１側から先側に向かって間隔が徐々に広くなる傾斜面となっている。
【００２３】
樹脂封止部６４は、それぞれの反射部６３の間に位置する発光素子６２をエポキシ系樹脂で封止したものである。線状光源装置６は、発光素子６２と樹脂封止部６４とで光源部が構成されている。そして、この光源部が基板６１に４つ設けられている。樹脂封止部６４には、必要に応じて発光素子６２からの光に励起されて波長変換した光を発光する蛍光体を含有させることができる。例えば、発光素子６２が青色に発光するものであれば、蛍光体を青色の補色となる黄色に発光するものとすることで、青色と黄色とが混色して白色に発光する光源部とすることができる。
【００２４】
プリント配線基板６５は、基板６１に沿って形成された接続部６５１と、電源を供給するコネクタと接続する配線部６５２とを備え、可撓性を有するフレキシブル基板で形成されている。プリント配線基板６５は、接続部６５１に形成された端子が基板６１に設けられた電極に半田Ｂにより導通接続されていることで、基板６１に固着されている。
【００２５】
反射シート７は、線状光源装置６の基板６１に沿って貼り付けられることで、発光素子６２から光を導光板５の方向へ反射するものである。
【００２６】
調光フィルム８は、拡散フィルム８１と、第１プリズムフィルム８２と、第２プリズムフィルム８３とで構成されている。拡散フィルム８１は、ポリエステル（ＰＳ）樹脂やポリカーボネート（ＰＣ）樹脂で、表面がすりガラスのように粗面に形成されたものである。第１，第２プリズムフィルム８２，８３は、ポリエステル樹脂の表面にアクリル樹脂からなる三角条（線状三角凸部）が形成されたプリズム面を有している。このプリズム面は断面視で鋸歯形状に形成されている。第１，第２プリズムフィルム８２，８３は、条方向が互いに略直交する向きに重なるように配置されている。
【００２７】
遮光シート９は、第２プリズムフィルム８３上に、線状光源装置６上に対応させて貼り付けられた不透過性を有するシートである。
【００２８】
ここで、金属ケース２とケース枠４とに設けられた第１規制部および第２規制部によって線状光源装置６を導光板５の一側面に固定するバックライトユニット１の光源固定構造について、図３および図４に基づいて詳細に説明する。図３は、ケース枠の第１規制部を説明するための一部拡大図である。図４は、ケース枠の第２規制部を説明するための一部拡大図である。
【００２９】
図３および図４に示すように、ケース枠４の枠部４１の先側には、角部が略三角形状に切除された形状に形成された導光板５に嵌るように略台形状に形成された位置決め部４３，４４が設けられている。位置決め部４３，４４には、切欠部４２よって切り欠かれていることで周壁部２２との間にできた溝であるガイド部４３ａ，４４ａが形成されている。
【００３０】
図３に示すように、一方の位置決め部４３には、線状光源装置６が載置される平板部２１と対向して設けられることで、ガイド部４３ａの一部の蓋となり第１規制部となる舌片部４３ｂが設けられている。
【００３１】
図４に示すように、他方の位置決め部４４のガイド部４４ａに面する位置には、線状光源装置６が載置されたときに、基板６１の他端部の搭載面Ｆに当接する第１凸部４４ｂが形成されている。また、第１凸部４４ｂに対向した周壁部２２には、線状光源装置６が載置されたときに、基板６１の他端部の搭載面Ｆと反対側となる面に当接する第２凸部２２ａが形成されている。この第１凸部４４ｂと第２凸部２２ａとで、基板６１を挟持する第２規制部が構成される。
【００３２】
以上のように構成された本発明の実施の形態に係るバックライトユニット１の線状光源装置６を、導光板５の一側面に固定する手順を、図面に基づいて説明する。
【００３３】
まず、図１に示す金属ケース２の平板部２１上に反射フィルム３を配置する。次に、反射フィルム３の上にケース枠４を配置する。そして、導光板５をケース枠４の枠部４１内に配置する。ここまで、それぞれの部材を配置したところで、線状光源装置６を準備する。
【００３４】
まず、線状光源装置６の基板６１の一端部を、金属ケース２の平板部２１と一方の位置決め部４３の舌片部４３ｂとの間にできた開口に挿入する。
【００３５】
次に、線状光源装置６の基板６１の一端部を中心に円弧を描くように、位置決め部４３のガイド部４３ａ内に挿入しながら、線状光源装置６の基板６１の他端部を第１凸部４４ｂと第２凸部２２ａとの間に位置させる。線状光源装置６の基板６１の一端部は、上側が舌片部４３ｂで、下側が金属ケース２の平板部２１により移動が規制されるだけでなく、金属ケース２の周壁部２２と位置決め部４３との間にできた溝であるガイド部４３ａによって導光板５への方向および周壁部２２への方向の移動が規制される。従って、線状光源装置６の基板６１の他端部を第１凸部４４ｂと第２凸部２２ａとの間に位置させる際に、基板６１の一端部が安定した状態で基板６１の他端部の位置合わせを行うことができる。
【００３６】
そして、線状光源装置６の基板６１の他端部を上方から押圧すると、基板６１の他端部が、第２凸部２２ａが形成された部分の周壁部２２を外側に押し広げ弾性変形させて、第１凸部４４ｂと第２凸部２２ａとの間隔が広がるので、基板６１の他端部が第１凸部４４ｂと第２凸部２２ａとの間に位置した状態でガイド部４４ａ内に収納される。基板６１の他端部がガイド部４４ａ内に収納された状態では、第２凸部２２ａが形成された部分の周壁部２２の復元力により、基板６１の他端部の搭載面Ｆおよびこの搭載面Ｆの反対側の面が押圧され挟持されるので、基板６１の他端部の移動を規制することができる。
【００３７】
ここで、比較のために、線状光源装置６を光源とした従来のバックライトユニットについて図５に基づいて説明する。図５は、従来のバックライトユニットの分解斜視図である。
【００３８】
図５に示すように、従来のバックライトユニット１００は、金属ケース１０１と、反射フィルム１０２と、光源固定テープ１０３と、ケース枠１０４と、導光板１０５と、線状光源装置６と、反射シート７と、調光フィルム１０６と、遮光シート１０７とを備えている。
【００３９】
なお、金属ケース１０１、反射フィルム１０２、ケース枠１０４、導光板１０５、調光フィルム１０６、および遮光シート１０７については、図１に示す金属ケース２、反射フィルム３、導光板５、調光フィルム８、および遮光シート９と、それぞれ形状は異なるが、同じ機能を有しているので説明は省略する。
【００４０】
従来のバックライトユニット１００は、線状光源装置６が、両面テープである光源固定テープ１０３によって金属ケース１０１に固定されたものである。
【００４１】
光源固定テープ１０３は、反射フィルム１０２に貼着する台形部１０３ａと、線状光源装置６の反射部６３同士の間の位置に対応して突出した固定部１０３ｂとで形成されている。この固定部１０３ｂが線状光源装置６の基板６１と金属ケース１０１との間に位置することで、線状光源装置６が金属ケース１０１に固定される。
【００４２】
このように光源固定テープ１０３により線状光源装置６が固定されていることで、光源固定テープ１０３の貼り付け工程が必要である。光源固定テープ１０３が少しでもずれると、線状光源装置６の反射部６３が固定部１０３ｂに乗り上げてしまい線状光源装置６からの光の出射方向が変わってしまうので、従来のバックライトユニット１００の光学特性が不良となってしまう。また、周囲の環境によって光源固定テープ１０３の接着強度にばらつきができるので、劣悪な条件下では振動や衝撃などにより線状光源装置６がずれてしまうおそれがある。
【００４３】
本実施の形態に係るバックライトユニット１では、接着剤や両面テープを用いないので、貼り付け工程が不要である。また、固定強度が周囲環境に左右されない。更に、線状光源装置６の取り付けが容易なので、取り付けにばらつきが発生しない。従って、安定した光学特性が得られる。
【産業上の利用可能性】
【００４４】
本発明は、光源を照明光として主発光面から出射する導光板の一側面に容易に固定することができ、固定強度が周囲環境に左右されないので、光源を導光板の入射面である一側面に配置したバックライトユニットの光源固定構造に好適である。
【図面の簡単な説明】
【００４５】
【図１】本発明の実施の形態１に係るバックライトユニットの分解斜視図
【図２】図１に示すバックライトユニットに用いられる線状光源装置を説明するための図
【図３】ケース枠の第１規制部を説明するための一部拡大図
【図４】ケース枠の第２規制部を説明するための一部拡大図
【図５】従来のバックライトユニットの分解斜視図
【符号の説明】
【００４６】
１  バックライトユニット
２  金属ケース
２１  平板部
２２  周壁部
２２ａ  第２凸部
３  反射フィルム
４  ケース枠
４１  枠部
４２  切欠部
４３，４４  位置決め部
４３ａ，４４ａ  ガイド部
４３ｂ  舌片部
４４ｂ  第１凸部
５  導光板
６  線状光源装置
６１  基板
６２  発光素子
６３  反射部
６４  樹脂封止部
６５  プリント配線基板
６５１  接続部
６５２  配線部
７  反射シート
８  調光フィルム
８１  拡散フィルム
８２  第１プリズムフィルム
８３  第２プリズムフィルム
９  遮光シート
１００  従来のバックライトユニット
１０１  金属ケース
１０２  反射フィルム
１０３  光源固定テープ
１０３ａ  台形部
１０３ｂ  固定部
１０４  ケース枠
１０５  導光板
１０６  調光フィルム
１０７  遮光シート
【図１】
2009218186.tif 000003
【図２】
2009218186.tif 000004
【図３】
2009218186.tif 000005
【図４】
2009218186.tif 000006
【図５】
2009218186.tif 000007